(57)【特許請求の範囲】
【請求項１】
チャンネル状材からなるパネルフレーム６０の溝ａ内に、メッシュパネル５０の周縁部を挿嵌状態で固定させる方法であって、
前記メッシュパネル５０の少なくとも片面には、前記パネルフレーム６０に対して斜め向きに斜平行突条５０ａ群が形成されており、
前記溝ａの溝幅を、前記メッシュパネル５０の厚さより広く設定すると共に、溝ａの内壁面に係合用凹凸６０ａを設け、
前記挿嵌状態で溝ａ内に生じた隙間に、前記係合用凹凸６０ａ及び斜平行突条５０ａに夫々係合する、被係合凹凸５及び複数列の被係合突条２を表面及び裏面に設けた板片状の取付具Ａを押し込むことにより、前記メッシュパネル５０の周縁部を、前記溝ａ内に抜止状態で固定させることを特徴とするメッシュパネルの取付方法
【請求項２】
その片面に、パネルフレーム６０に対して斜め向きに斜平行突条５０ａ群を形成させたメッシュパネル５０の周縁部を、チャンネル状材からなる前記パネルフレーム６０の溝ａ内に挿嵌状態で固定させる為の取付具であって、
前記挿嵌状態で、前記溝ａ内に生じた隙間に緊密に挿嵌させ得る厚さの板状本体１から成り、
該板状本体１の片面側には、前記溝ａの内壁面に設けた係合用凹凸６０ａに係合して板状本体１を抜止する被係合凹凸５を設け、他面側には、前記斜平行突条５０ａに係合して前記メッシュパネル５０を抜止する複数列の被係合突条２を設けたことを特徴とするメッシュパネルの取付具。
【請求項３】
前記板状本体１には、略コ字形の切れ目３に囲まれた係止片４を形成させ、該係止片４に設けた前記被係合凹凸５が、前記係合用凹凸６０ａに向けて弾力的に圧接される様に構成したことを特徴とする請求項２記載のメッシュパネルの取付具。
【発明の詳細な説明】
【０００１】
【発明の属する技術分野】
本発明は、例えば、住宅の二階部分に取付けた組立式バルコニーの、床面の裏側部分を、下から見上げた時に見苦しくない様に、この裏側面に取付けて美装する等の目的で使われる、ネット状をしたメッシュパネルの周縁部を、チャンネル状材からなるパネルフレームの溝内に挿嵌状態で固定する為の、メッシュパネルの取付方法及び取付具に関する。
【０００２】
【従来の技術】
上記メッシュパネルの従来の取付工法を、図１３及び図１４に示した。
金網様のメッシュパネル５０は、その周縁部をパネルフレーム６０の溝ａ内に挿嵌させた状態を、パネルフレーム６０に所定間隔を隔てて貫通状に植付けたリベット６１により固定されている。パネルフレーム６０は、バルコニーの床面の枠組材に、取付金具等を使って固定される。
【０００３】
【発明が解決しようとする課題】
上記の従来工法によると、１本１本のパネルフレーム６０の夫々の複数箇所に、リベット６１の挿通孔を開けたうえ、リベット止めする作業に少なからぬ労力と時間を要する。
その上、パネルフレーム６０の表面の多数箇所に露出したリベット頭が、美装目的で取付けたメッシュパネルの美観を損なうことになる。
又、メッシュパネル５０を、例えば、フェンス材等として用いた場合に、強い衝撃力が及ぼされると、リベット６１に引っ掛かっている箇所に、大きな集中応力が生ずるので、この箇所からメッシュパネル５０が破断する可能性が高かった。
【０００４】
そこで本発明の目的は、パネルフレームへのメッシュパネルの取付作業を極力簡易に行えると共に、必要な固定強度を確保出来、然も、スッキリした外観に仕上げられるメッシュパネルの取付方法及び取付具を提供するにある。
【０００５】
【課題を解決するための手段】
上記の目的を達成する為の、本発明によるメッシュパネルの取付方法は、
チャンネル状材からなるパネルフレーム６０の溝ａ内に、メッシュパネル５０の周縁部を挿嵌状態で固定させる方法であって、
前記メッシュパネル５０の少なくとも片面には、前記パネルフレーム６０に対して斜め向きに斜平行突条５０ａ群が形成されており、
前記溝ａの溝幅を、前記メッシュパネル５０の厚さより広く設定すると共に、溝ａの内壁面に係合用凹凸６０ａを設け、
前記挿嵌状態で溝ａ内に生じた隙間に、前記係合用凹凸６０ａ及び斜平行突条５０ａに夫々係合する、被係合凹凸５及び複数列の被係合突条２を表面及び裏面に設けた板片状の取付具Ａを押し込むことにより、前記メッシュパネル５０の周縁部を、前記溝ａ内に抜止状態で固定させる方法を採用した。
又、本発明による取付具は、
その片面に、パネルフレーム６０に対して斜め向きに斜平行突条５０ａ群を形成させたメッシュパネル５０の周縁部を、チャンネル状材からなる前記パネルフレーム６０の溝ａ内に挿嵌状態で固定させる為のものであって、
前記挿嵌状態で、前記溝ａ内に生じた隙間に緊密に挿嵌させ得る厚さの板状本体１から成り、
該板状本体１の片面側には、前記溝ａの内壁面に設けた係合用凹凸６０ａに係合して板状本体１を抜止する被係合凹凸５を設け、他面側には、前記斜平行突条５０ａに係合して前記メッシュパネル５０を抜止する複数列の被係合突条２を設ける構成とした。
そして、板状本体１には、略コ字形の切れ目３に囲まれた係止片４を形成させ、該係止片４に設けた被係合凹凸５が、係合用凹凸６０ａに向けて弾力的に圧接される様に構成するとよい。
【０００６】
【発明の実施の形態】
以下に、本発明を、住宅の二階部分に設けた組立式バルコニーの、床面の裏側部分を、下から見上げた時に見苦しくない様、メッシュパネルを使って美装する場合に適用した一実施例に就いて、図１〜図１２を参照しながら説明する。
図１に於いて、７０はアルミ材等で作られた組立式バルコニーで、その床フレーム７１の下面側には、ネット状にデザインされたメッシュパネル５０を、その取用フレーム材としてのパネルフレーム６０を使って張設している。
【０００７】
このメッシュパネル５０は、図２、図９に示した様に、その周縁部を、ネャンネル材状のパネルフレーム６０の溝ａ内に挿嵌させた状態を、本発明の取付具Ａを使って強固に固定されている。
【０００８】
パネルフレーム６０はアルミ材の押出成形品で、図８に示した様に、変形されたＨ形の横断面形状を備えている。
メッシュパネル５０の周縁部は、図９に示した様に、奥行きがより深い側の溝ａ内に挿嵌される。
この溝ａの一方の内壁面には、複数列の鋸歯状の係合用凹凸６０ａを、パネルフレーム６０の長手方向に沿わせて設けている。
又、他方の内壁面には、その縁端と、溝ａの奥行き方向の中間箇所との二箇所に、突条６０ｂ，６０ｃを、フレームの長手方向に沿わせて設けている。
【０００９】
パネルフレーム６０の溝ａの溝幅は、図９に示した様に、溝ａ内にメッシュパネル５０の周縁部を挿嵌させた状態で、メッシュパネル５０と溝ａの一方の内壁面との間に、板状の取付具Ａを緊密に挿嵌させ得る寸法に設定している。
【００１０】
この実施例のメッシュパネル５０は、合成樹脂製で、菱形の網目を備えたネット状に形成されており、図１１，１２に示した様に、パネルフレーム６０に対して斜め向きに配向させた、各多数列の表側の斜平行突条５０ａ群と、裏側の斜め平行突条５０ｂ群とを、背中合わせに合体させた如き形態を備えている。
尚、各斜平行突条５０ａ，５０ｂの横断面形状は夫々台形に形成し、夫々の高さ寸法は、５０ａの方を５０ｂより高くしている。
【００１１】
次に、取付具Ａの具体例を、図３〜図７を参照しながら説明する。
この実施例の取付具Ａは、強度と耐久性に優れたエンジニアリングプラスチック製で、そのおおよその形状は、長方形の板状をなしている。
この取付具Ａを構成する板状本体１には、図３，７に示した様に、表面側の長手方向の一方の縁端に沿って、立上縁部１ａを設けている。
立上縁部１ａの側面には、図３，６に見られる様に、波打状の凹凸を設けている。
【００１２】
板状本体１の裏面側には、図４〜６に示した様に、その長手方向に複数列、この場合は３列の被係合突条２を、メッシュパネル５０の斜平行突条５０ａの並列間隔と同じ間隔を隔てて、且つ、斜並列突条５０ａの傾斜角度と同じ傾き角度で設けている。
【００１３】
板状本体１の隣接する被係合突条２，２間には、変形されたコ字形に類する形状の切れ目３を設けている。
これによって、隣接する各被係合突条２，２間に、切れ目３に囲まれた係止片４を夫々形成させている。
この係止片４は、取付具Ａの縦断面を示した図７に見られる様に、その肉厚を幅方向の縁端に向けて次第に薄くして、弾力的変形性を高めさせている。
【００１４】
そして、係止片４の表面側には、パネルフレーム６０の係合用凹凸６０ａと係合する、鋸歯状の２列の被係合凹凸５，５を設けている。
尚、メッシュパネル５０の網目は菱形をしているので、それに対応させる為に、バルコニーの左右方向のパネルフレーム６０用と、前後方向のパネルフレーム６０用との、２種類の取付具Ａを用意し、夫々の被係合突条２の傾斜角度と傾斜方向等を変えて置く必要がある。
【００１５】
次に、取付具Ａの使い方を説明する。
先ず、図２に示した様に、メッシュパネル５０の四方の周縁部を、対応した各パネルフレーム６０の溝ａ内に夫々挿嵌させる。
このままの状態のメッシュパネル５０は、風や振動を受けるとガタ付くし、押圧力や引張力が加わった場合には、パネルフレーム６０から外れてしまう可能性がある。
【００１６】
又、メッシュパネル５０には、その網目を利用して、例えば、鳥籠とか、吊り鉢等をぶら下げる可能性もある。
そして、メッシュパネル５０を、フェンス材として使った場合には、何等かのはずみで、強い衝撃力や引っ張り力が及ぼされることも十分起こり得る。
そこで、メッシュパネル５０の周縁部を、溝ａ内に確実に固定させる必要がある。
【００１７】
この固定の役割を担うの取付具Ａの取付方法は、先ず、図９に仮想線で示した様に、その裏面側の各被係合突条２が、メッシュパネル５０の表側の隣接する斜平行突条５０ａ，５０ａ間に夫々落とし込まれる様にして、且つ、パネルフレーム６０に平行に沿わせる様にして、メッシュパネル５０の表面に当てがう。
この当てがう位置は、隣の取付具Ａとの距離が、例えば、２５ｃｍ程度になる様に選定する。
【００１８】
次いで、図９に仮想線で矢示した様に、取付具Ａを、パネルフレーム６０の溝ａ内の係合用凹凸６０ａを設けた内壁面と、メッシュパネル５０との隙間に生じた隙間に向けて押し込んで行く。
すると、被係合突条２が、メッシュパネル５０の斜平行突条５０ａに押し付けられた状態で、この突条にガイドされながら斜め向きに前進する。
【００１９】
そして、取付具Ａに設けた鋸歯状の被係合凹凸５が、溝ａの内壁面に設けた鋸歯状の係合用凹凸６０ａと干渉する状態になる。
然し、係止片４は押込力を受けて弾性変形しながら更に前進し、取付具Ａが、立上縁部１ａを残して溝ａ内に完全に押し込まれた時、丁度、被係合凹凸５は、係合用凹凸６０ａに抜止状態で引っ掛かり、これによって、取付具Ａはパネルフレーム６０の溝ａ内から確実に抜止される。
【００２０】
一方、溝ａの内壁面と取付具Ａとの間で圧迫状態で挟持されたメッシュパネル５０は、図１１に示した様に、その周縁部の斜平行突条５０ａが、これと隣接する被係合突条２（図中に黒く塗り潰して示す）に引っ掛かった状態になり、溝ａ内からの脱落が確実に阻止される。
【００２１】
この様に、本発明の取付具Ａを使った取付工法によれば、パネルフレーム６０へのメッシュパネル５０の取付作業を、冒頭に記した従来のリベット止工法に比べて、比較にならない程、簡単・迅速に行うことが出来る。
然も、見苦しいリベットを使わないので、取り付け終えた外観が遥かにスッキリして、美装目的がより良く達成される。
【００２２】
又、リベット止めによる、言わば、ピンポイント固定法とは異なって、広い面積に亙って面接触状態で固定させる機能を備えているので、若し、メッシュパネルを利用して物を吊り下げた場合や、メッシュパネルをフェンス材として用いた場合等に、現実に想定される最大限の引っ張り力や衝撃力に耐えることが出来る。
【００２３】
尚、上記構成に於いて、細部の構造は適宜に設計変更しても本発明の目的は達成される。
例えば、メッシュパネル５０の斜平行突条５０ａ及び５０ｂのデザイン的形状、配列間隔、傾斜角度等は、メッシュパネル５０の大きさや、好み等に応じて適宜に選定すればよい。
或は、メッシュパネル５０の片側面だけを、斜平行突条５０ａ群で構成し、他面側は、例えば、波打状その他の突条群等で構成してもよい。
【００２４】
又、取付具Ａの長さ寸法は図示に限られず、パネルフレーム６０と略等しい長さにするのも自由である。
そして、係止片４の形態も、請求項に記された機能を果す限りに於いて適宜に変更しても差し支え無い。パネルフレーム６０の形態に就いても同様である。
【００２５】
【発明の効果】
以上の説明によって明らかな様に、本発明によるメッシュパネルの取付方法及び取付具によれば、以下に列挙した如き実用上の優れた効果が得られる。
（ａ）  取付具を、パネルフレームの溝内に嵌め込んだメッシュパネルの周縁部と、溝内壁面との隙間に、単に押し込むだけで固定作業は確実に完了する。
（ｂ）  従って、従来技術の様に、パネルフレームの多数箇所にリベットを通す孔を開けたうえ、リベット止めすると言った、極めて非能率な作業を全廃出来る。
（ｃ）  その上、パネルフレームの表面に現れた多数個のリベットの頭部が、施工仕上状態の美観を損なうことも無くなる。
（ｄ）  メッシュパネルに強い引張力や衝撃力が及ぼされた場合でも、リベットによるピンポイント連結とは異なり、広い面積での面接触により固定されているので、固定箇所からメッシュパネルが破断する恐れを略確実に解消出来る。
（ｅ）  必要に応じて、メッシュパネルを取り外す作業も、比較的簡易に行える。
【図面の簡単な説明】
【図１】本発明を、住宅の上階の組立式バルコニーの床面の裏側部分に、メッシュパネルを張設して美装する場合に適用した一実施例を示すもので、バルコニーの斜視図である。
【図２】同上、メッシュパネルの周縁部をパネルフレームに固定した状態の部分破断正面図である。
【図３】同上、取付具を表側から見た平面図である。
【図４】同上、取付具を裏側から見た平面図である。
【図５】同上、図３の矢示ｍ方向視図である。
【図６】同上、図３の矢示ｎ方向視図である。
【図７】同上、図３の矢示Ｗ−Ｗ線に沿う縦断面図である。
【図８】同上、パネルフレームの横断面図である。
【図９】同上、取付具の取付方法を説明した図２のＶ−Ｖ線方向視縦断面図である。
【図１０】同上、取付具の取付状態をその表側から拡大して示す、部分破断平面図である。
【図１１】同上、取付具の取付状態をその裏側から拡大して示す、部分破断平面図である。
【図１２】同上、メッシュパネルの断面形状を示す為の、図１１のＸ−Ｘ線及びＹ−Ｙ線に沿う縦断面図である。
【図１３】従来例を示す、図１０相当図である。
【図１４】同上、図１４のＺ−Ｚ線に沿う断面図である。
【符号の説明】
Ａ  取付具
１  板状本体
１ａ  立上縁部
２  被係合突条
３  切れ目
４  係止片
５  被係合凹凸
ａ  溝
５０  メッシュパネル
５０ａ，５０ｂ  斜平行突条
６０  パネルフレーム
６１  リベット
７０  パルコニー
７２  床フレーム
【図１】
0003597948.tif 000002
【図２】
0003597948.tif 000003
【図３】
0003597948.tif 000004
【図４】
0003597948.tif 000005
【図５】
0003597948.tif 000006
【図６】
0003597948.tif 000007
【図７】
0003597948.tif 000008
【図８】
0003597948.tif 000009
【図９】
0003597948.tif 000010
【図１０】
0003597948.tif 000011
【図１１】
0003597948.tif 000012
【図１２】
0003597948.tif 000013
【図１３】
0003597948.tif 000014
【図１４】
0003597948.tif 000015